(57)【要約】【課題】全周から入射するレーダ反射波を簡易に模擬できるようにしたレーダ装置の試験方法を提供すること。【解決手段】レーダ装置においては、信号処理部１０から出力される走査角制御信号が一旦ジャンクションボックス１１に取り込まれる。ジャンクションボックス１１は、走査角制御信号がフェーズドアレイアンテナ６に入力される前に、遅延無く走査角制御信号を固定値に置換する。この固定値は、受信ビーム（アンテナパターン）が電波源１２を指向する角度に対応する。このようにすることで、信号処理部１０からは時々刻々と値の変化する走査角制御信号が出力されるにも係らず、アンテナパターンは常に電波源１２の方向を指向するという状況が生まれる。これにより信号処理部１０から見た場合に全周捜索を模擬することができる。【選択図】      図２
2007316021.tif 000002
【特許請求の範囲】
【請求項１】
フェーズドアレイアンテナとこのフェーズドアレイアンテナに走査角制御信号を与えてアンテナパターンの指向角をスキャンする信号処理部とを具備するレーダ装置に、レーダ反射波を模擬する無線周波数信号を電波暗室内における一定位置から照射して前記レーダ装置を試験するレーダ装置の試験方法であって、
前記走査角制御信号を、前記信号処理部から出力され前記フェーズドアレイアンテナに入力される前に、前記一定位置に対応する固定値に置換し、
前記フェーズドアレイアンテナからの受信信号と、前記信号処理部から出力される前記走査角制御信号とに基づいて前記レーダ装置を試験することを特徴とするレーダ装置の試験方法。
【発明の詳細な説明】
【技術分野】
【０００１】
本発明は、フェーズドアレイアンテナを有するレーダ装置の試験方法に関する。
【背景技術】
【０００２】
レーダ装置はその実施運用に先立って動作試験を行うことが重要であり、そのための技術が例えば特許文献１，２に開示されている。この種の試験においては電波暗室の中でレーダ反射波を模擬した無線周波数信号（ＲＦ信号）を試験対象のレーダ装置に照射して、シナリオ通りに動作するかが試験される。  
ところで、ＲＦ信号をレーダ装置に照射するための送信アンテナは、電波暗室の規模が大きいことやコスト面などの事情からせいぜい数個しか電波暗室に設置できない。このためレーダ装置に対して特定の方位からのレーダ反射波しか模擬することができず、特に全周捜索レーダに対しては十分な試験を行うことができない。
【特許文献１】特開２０００−１１１６４２号公報
【特許文献２】特開２００１−２０１５６４号公報
【発明の開示】
【発明が解決しようとする課題】
【０００３】
以上述べたように既存の技術では、限られた方位からのレーダ反射波を模擬することしかできず、特に全周捜索を行うレーダ装置に対しては十分な試験を行うことが難しい。  
本発明は上記事情を考慮してなされたもので、その目的は、全周から入射するレーダ反射波を簡易に模擬できるようにしたレーダ装置の試験方法を提供することにある。
【課題を解決するための手段】
【０００４】
上記目的を達成するためにこの発明の一態様によれば、フェーズドアレイアンテナとこのフェーズドアレイアンテナに走査角制御信号を与えてアンテナパターンの指向角をスキャンする信号処理部とを具備するレーダ装置に、レーダ反射波を模擬する無線周波数信号を電波暗室内における一定位置から照射して前記レーダ装置を試験するレーダ装置の試験方法であって、前記走査角制御信号を前記信号処理部から出力され前記フェーズドアレイアンテナに入力される前に前記一定位置に対応する固定値に置換し、前記フェーズドアレイアンテナからの受信信号と前記信号処理部から出力される前記走査角制御信号とに基づいて前記レーダ装置を試験することを特徴とするレーダ装置の試験方法が提供される。
【０００５】
このような手段を講じることにより、以下の作用が実現される。すなわち信号処理部からフェーズドアレイアンテナに向け送出される走査角制御信号はスキャンに伴ってリアルタイムで変化するが、フェーズドアレイアンテナに入力される前に固定値に置換される。その値はフェーズドアレイアンテナの指向角を無線周波数信号の照射源（送信アンテナなど）に指向させる値であり、これによりフェーズドアレイアンテナのビームは、信号処理部によるスキャン処理によらず照射源方位を常に指向する。従ってフェーズドアレイアンテナにおいては、レーダ反射波を模倣する無線周波数信号が、スキャンによらずに常時一定の利得を持って受信される。つまり信号処理装置から見れば、スキャンに伴って値の変化する走査角制御信号の各々ごとに、一定の受信利得が得られることになる。これにより全周から入射するレーダ反射波を簡易に模擬することが可能となり、試験精度の向上などのメリットを得ることができる。
【発明の効果】
【０００６】
この発明によれば、全周から入射するレーダ反射波を簡易に模擬できるようにしたレーダ装置の試験方法を提供することができる。
【発明を実施するための最良の形態】
【０００７】
図１は、本発明の試験方法により試験されるレーダ装置の一例を示すブロック図である。図１において、基準信号発生器１により生成されるパルス状の基準信号はローカル発振器２により生成されるローカル信号とミキサ３においてミキシングされ、高周波信号に変換される。高周波信号は送信増幅器４およびサーキュレータ５を介してフェーズドアレイアンテナ６から空界に向け放射される。
【０００８】
目標から反射されたパルス状のレーダエコーはアンテナ６からサーキュレータ５を介して受信増幅器７により低雑音増幅されたのち、ミキサ８においてローカル信号とミキシングされて中間周波数信号に周波数変換され、ＡＤ（アナログ／ディジタル）変換器９に入力される。ＡＤ変換器９は中間周波数信号をディジタル信号に変換して信号処理部１０に入力する。信号処理部１０はディジタル信号に基づいて測角処理を行い、測角値を得る。また信号処理部１０は走査制御信号をフェーズドアレイアンテナ６に与え、そのアンテナパターンの指向角を一定の周期でスキャンする。
【０００９】
ところでこの実施形態では、信号処理部１０とフェーズドアレイアンテナ６との間にジャンクションボックス１１を設ける。ジャンクションボックス１１は、スキャン処理に伴い値の変化する走査角制御信号を固定値に置換する。これによりアンテナパターンの指向角も一定に保たれることになる。
【００１０】
図２は、この発明に係わるレーダ装置の試験方法を模式的に示す図である。電波暗室内には電波源１２が設けられ、この電波源１２は、レーダ反射波を模倣する無線周波数信号（ＲＦ信号）を一定位置からレーダ装置に照射する。  
レーダ装置においては、信号処理部１０から出力される走査角制御信号が一旦ジャンクションボックス１１に取り込まれ、フェーズドアレイアンテナ６に入力される前に遅延無く固定値に置換される。この固定値は、受信ビーム（アンテナパターン）が電波源１２を指向する角度に対応する。このようにすることで、信号処理部１０からは時々刻々と値の変化する走査角制御信号が出力されるにも係らず、アンテナパターンは常に電波源１２の方向を指向するという状況が生まれる。これにより信号処理部１０から見た場合に全周捜索を模擬することができる。このような状況が生まれれば、あとはフェーズドアレイアンテナ６において受信された信号と、信号処理部１０から出力される（従ってリアルタイムで変化する）走査角制御信号とに基づいて、全周捜索に係わるレーダ装置の性能を試験することが可能になる。  
このように本実施形態によれば、信号処理装置１０からみると全周からレーダ反射波を受信した状態を模擬することが可能となり、従って全周から入射するレーダ反射波を簡易に模擬できるようにしたレーダ装置の試験方法を提供することが可能となる。
【００１１】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１２】
【図１】本発明の試験方法により試験されるレーダ装置の一例を示すブロック図。
【図２】この発明に係わるレーダ装置の試験方法を模式的に示す図。
【符号の説明】
【００１３】
１…基準信号発生器、２…ローカル発振器、３…ミキサ、４…送信増幅器、５…サーキュレータ、６…フェーズドアレイアンテナ、７…受信増幅器、８…ミキサ、９…ＡＤ変換器、１０…信号処理部、１１…ジャンクションボックス、１２…電波源
【図１】
2007316021.tif 000003
【図２】
2007316021.tif 000004